(57)【要約】【課題】様々な身体部位に適した形態で当接して加温することができるとともに、異なる身体部位へ当接させる場合にも、その身体部位に対応可能な形態へと容易に変更することのできる湯たんぽ取付具を提供することを目的とする。【解決手段】湯たんぽ１０を取り外し可能に取り付ける湯たんぽ取付部１２，２２を備えた湯たんぽ取付具１１を、複数の湯たんぽ取付部１２，２２を間隔を隔てて配設し、上記間隔を複数種の所定間隔ＳＤ，ＬＤのうちいずれかの所定間隔で選択可能に、例えば、隣合う湯たんぽ取付部１２，２２同士の所定間隔を異なる所定間隔に変更する間隔変更手段２３，２４を備えて構成した。【選択図】図１
2009219568.tif 000002
【特許請求の範囲】
【請求項１】
湯たんぽを取り外し可能に取り付ける湯たんぽ取付部を備えた湯たんぽ取付具であって、
複数の湯たんぽ取付部を間隔を隔てて配設し、
上記間隔を複数種の所定間隔のうちいずれかの所定間隔で選択可能に構成した
湯たんぽ取付具。
【請求項２】
湯たんぽ取付具本体を面状に構成し、
上記湯たんぽ取付部を、湯たんぽを収容可能な湯たんぽ収容部で構成した
請求項１に記載の湯たんぽ取付具。
【請求項３】
上記湯たんぽ収容部を、
面状に構成した上記湯たんぽ取付具本体の一方の面側に所定の短間隔を隔てて配設するとともに、
他方の面側に、上記短間隔よりも長い長間隔を隔てて配設した
請求項２に記載の湯たんぽ取付具。
【請求項４】
隣合う上記湯たんぽ収容部同士の所定間隔を異なる所定間隔に変更する間隔変更手段を備えた
請求項２に記載の湯たんぽ取付具。
【請求項５】
上記湯たんぽ収容部を、少なくとも第一湯たんぽ収容部と第二湯たんぽ収容部とで構成するとともに、
第一湯たんぽ収容部と第二湯たんぽ収容部との間に、
上記第一湯たんぽ収容部から異なる長さで突出した複数の第一連結片と、上記第二湯たんぽ収容部から突出した第二連結片と、上記第一連結片、及び、上記第二連結片を分離可能に接続する接続手段とで構成した連結部材を備え、
上記間隔変更手段を、上記連結部材で構成した
請求項４に記載の湯たんぽ取付具。
【請求項６】
上記第二連結片を、上記第一連結片と同じ数で複数備えた
請求項５に記載の湯たんぽ取付具。
【請求項７】
複数種類の上記連結部材のうち最も長い最長尺状連結部材を、
上記第一湯たんぽ収容部と上記第二湯たんぽ収容部との間で分離不能に形成した
請求項６に記載の湯たんぽ取付具。
【請求項８】
上記湯たんぽ収容部を、
少なくとも第一湯たんぽ収容部と第二湯たんぽ収容部とで構成し、
上記第一湯たんぽ収容部に、長さ方向における一方の側から突出した短尺状第一連結片と、長さ方向における他方の側から上記短尺状第一連結片よりも長い長さで突出した長尺状第一連結片とで構成した第一連結片を備え、
上記第一連結片に有する第一接続体と、上記第二湯たんぽ収容部の側に有する第二接続体とで互いに分離可能に接続する接続手段を備え、
上記間隔変更手段を、
上記第一連結片と上記接続手段とで構成した
請求項４に記載の湯たんぽ取付具。
【請求項９】
上記湯たんぽ収容部を、少なくとも第一湯たんぽ収容部と第二湯たんぽ収容部とで構成し、
上記第一湯たんぽ収容部に、長さ方向における一方の側から突出した短尺状第一連結片と、長さ方向における他方の側から上記短尺状第一連結片よりも長い長さに突出した長尺状第一連結片とで構成した第一連結片を備え、
上記第二湯たんぽ収容部に、長さ方向における一方の側から突出した短尺状第二連結片と、長さ方向における他方の側から上記短尺状第二連結片よりも長い長さに突出した長尺状第二連結片とで構成した第二連結片を備え、
上記短尺状第一連結片、及び、長尺状第二連結片に有する第一接続体と、長尺状第一連結片、及び、短尺状第二連結片に有する第二接続体とで互いに分離可能に接続する接続手段を備え、
上記間隔変更手段を、上記第一連結片、上記第二連結片、及び、上記接続手段とで構成した
請求項４に記載の湯たんぽ取付具。
【請求項１０】
上記接続手段を、第一ファスナテープと、該第一ファスナテープと係合可能な第二ファスナテープとを備えたスライドファスナで構成した
請求項５から９のうちいずれか１項に記載の湯たんぽ取付具。
【発明の詳細な説明】
【技術分野】
【０００１】
この発明は、湯たんぽ袋のように湯たんぽを取り外し可能に取付け、保持することのできる湯たんぽ取付部を備えた湯たんぽ取付具に関し、湯たんぽ取付部を介して湯たんぽを利用者の身体部位に当てて温めることのできる湯たんぽ取付具に関する。
【背景技術】
【０００２】
湯たんぽを、直接、利用者の身体に当てて用いた場合、低温火傷のおそれがあるため、一般に、湯たんぽ袋に収容して用いられることが多い。
【０００３】
そして、湯たんぽを、湯たんぽ袋を介して身体に当てたとき、効果的に身体部位を温めることができるよう、湯たんぽ自体や湯たんぽ袋に様々な工夫が施されたものが知られている。
【０００４】
例えば、下記特許文献１には、利用者の腰部を効果的に温めることのできる腰用保温器が開示されている。
【０００５】
上記腰用保温器は、湯を充填可能に中空状に形成した保温容器本体と、該保温容器本体の略全体に被覆される保温性を有するカバーとを備えて構成している。
【０００６】
上記保温容器本体は、腰部に沿った形状、すなわち、長さ方向の両側が中央部に対して徐々に盛り上がった形状で形成している。
【０００７】
上記構成の腰用保温器を腰部に当てると、腰部にフィットし、腰部を効果的に温めることができる。
【０００８】
しかし、上述した腰用保温器は、腰部の加温に特化して形成しているため、腰部以外の身体部位に当てて温める上では、必ずしも適した形状であるとはいえず、適用することのできる身体部位や用途が制限されるといった難点を有していた。
【特許文献１】特開２００５−２５３７０３号公報
【発明の開示】
【発明が解決しようとする課題】
【０００９】
そこで、この発明は、様々な身体部位に適した形態で当接して加温することができるとともに、異なる身体部位へ当接させる場合にも、その身体部位に対応可能な形態へと容易に変更することのできる湯たんぽ取付具を提供することを目的とする。
【課題を解決するための手段】
【００１０】
本発明は、湯たんぽを取り外し可能に取り付ける湯たんぽ取付部を備えた湯たんぽ取付具であって、複数の湯たんぽ取付部を間隔を隔てて配設し、上記間隔を複数種の所定間隔のうちいずれかの所定間隔で選択可能に構成した湯たんぽ取付具であることを特徴とする。
【００１１】
上記構成により、湯たんぽ取付具は、複数の湯たんぽ取付部の間隔を複数種の所定間隔のうちいずれかの所定間隔に選択することができるため、湯たんぽを身体部位や用途に応じて所望の間隔にスムーズに取り付けて用いることができる。
【００１２】
具体的には、例えば、湯たんぽ取付部を２つ備えている場合、該２つの湯たんぽ取付部同士の間隔を、腰部に当てるのに適した所定間隔に選択して、利用者の腰部を適切に温めることができる。
【００１３】
さらに、例えば、２つの湯たんぽ取付部を利用者の左右両太腿部分の間に相当する所定間隔に選択することによって、湯たんぽを取り付けた湯たんぽ取付部を、利用者の左右両太腿部分に載置するだけで、該左右それぞれの太腿部分に湯たんぽを適切に当てて温めることもできる。
【００１４】
なお、利用者の左右両太腿部分の間に相当する上記所定間隔は、利用者の二の腕部分を温める上でも好ましい間隔であるといえる。
【００１５】
具体的には、湯たんぽ取付具を、２つの湯たんぽ取付部の間隔が利用者の左右両太腿部分の間に相当する所定間隔のままで、テーブルや床面の上に設置する。ここで、湯たんぽ取付具をテーブルに設置した場合は、利用者は、椅子に着席した姿勢で両腕の各二の腕部分を湯たんぽ取付具の湯たんぽ取付部に載せることができる。
【００１６】
湯たんぽ取付具を床面に設置した場合は、利用者は、床面にうつ伏せになった姿勢で両腕の各二の腕部分を湯たんぽ取付具の湯たんぽ取付部に載せることができる。
【００１７】
いずれの場合も、湯たんぽ取付具は、クッションや枕と同様に二の腕部分を下側から支持することができるため、利用者は、例えば、テーブルや床面に両肘をつくような楽な姿勢で読書などしながら、二の腕部分を湯たんぽ取付具により効果的に温めることができる。
【００１８】
上記湯たんぽ取付部は、例えば、バンド（ベルト）、面ファスナなど湯たんぽを取り付けることができる手段を備えていれば、その構成は、特に限定しない。
【００１９】
また、上記湯たんぽ取付具には、該湯たんぽ取付具自体を利用者や椅子などに装着するための手段として、例えば、別途、装着用ベルトなどを備えてもよい。
【００２０】
この発明の態様として、湯たんぽ取付具本体を面状に構成し、上記湯たんぽ取付部を、湯たんぽを収容可能な湯たんぽ収容部で構成することができる。
【００２１】
上記構成により、湯たんぽを湯たんぽ収容部に収容することができるため、湯たんぽをしっかりと取り付けておくことができるとともに、湯たんぽ収容部を介して利用者の身体を温めることができるため、低温火傷といった事態を防止することができる。
【００２２】
また、この発明の態様として、上記湯たんぽ収容部を、面状に構成した上記湯たんぽ取付具本体の一方の面側に所定の短間隔を隔てて配設するとともに、他方の面側に、上記短間隔よりも長い長間隔を隔てて配設することができる。
【００２３】
上記構成により、湯たんぽを一方の面側に配設した湯たんぽ収容部に収容すれば、例えば、腰部を温めるのに適した所定の短間隔を隔てた間隔で湯たんぽを取り付けることができる。
【００２４】
これに対して、湯たんぽを他方の面側に配設した湯たんぽ収容部に収容すれば、例えば、左右両太腿部分を温めるのに適した長間隔で湯たんぽを取り付けることができる。
【００２５】
このように、湯たんぽ取付具本体における一方の面側と他方の面側のいずれかの面側に構成した湯たんぽ収容部を選択し、該選択した湯たんぽ収容部に湯たんぽを収容することによって、湯たんぽを取り付ける間隔を身体部位、用途に応じた間隔に容易に変更して用いることができる。
【００２６】
また、この発明の態様として、湯たんぽ取付具には、隣合う上記湯たんぽ収容部同士の所定間隔を異なる所定間隔に変更する間隔変更手段を備えることができる。
【００２７】
上記構成により、湯たんぽを湯たんぽ収容部に収容した状態のまま上記湯たんぽ収容部同士の所定間隔を異なる所定間隔へと容易に変更することができる。
【００２８】
さらに、このように間隔変更手段を備えることにより、湯たんぽ取付部同士の間隔を、例えば、２種類の所定間隔に限らず３種類以上の複数種の所定間隔のうちいずれかの所定間隔に選択できるよう、容易に構成することもできる。
【００２９】
また、この発明の態様として、上記湯たんぽ収容部を、少なくとも第一湯たんぽ収容部と第二湯たんぽ収容部とで構成するとともに、第一湯たんぽ収容部と第二湯たんぽ収容部との間に、上記第一湯たんぽ収容部から異なる長さで突出した複数の第一連結片と、上記第二湯たんぽ収容部から突出した第二連結片と、上記第一連結片、及び、上記第二連結片を分離可能に接続する接続手段とで構成した連結部材を備え、上記間隔変更手段を、上記連結部材で構成することができる。
【００３０】
上記構成により、複数の第一連結片のうち所望の長さの第一連結片と、第二連結片とを、接続手段により接続することによって、第一湯たんぽ収容部と第二湯たんぽ収容部との間隔を所望の間隔に調節することができる。
【００３１】
従って、第一湯たんぽ収容部と第二湯たんぽ収容部との間隔を、それぞれ異なる長さで形成した第一連結片の数に応じた様々な所定間隔へと容易に変更することができる。
【００３２】
また、この発明の態様として、上記第二連結片を、上記第一連結片と同じ数で複数備えて構成することができる。
【００３３】
上記構成によれば、第一連結片、及び、第二連結片とのそれぞれを異なる長さで複数形成しているため、第一連結片と第二連結片とを連結する組み合わせパターンが増加し、様々な間隔へと変更することができる。
【００３４】
また、この発明の態様として、複数種類の上記連結部材のうち最も長い最長尺状連結部材を、上記第一湯たんぽ収容部と上記第二湯たんぽ収容部との間で分離不能に形成することができる。
【００３５】
上記構成によれば最長尺状連結部材を上記第一湯たんぽ収容部と上記第二湯たんぽ収容部との間で分離不能に形成しているため、第一湯たんぽ収容部と第二湯たんぽ収容部との間隔を最長尺長さに対応する所定間隔に変更する場合は、いちいち接続手段で接続する手間を要さず、間隔変更前の第一連結片と第二連結片との接続を外すだけで、最長尺長さに対応する間隔へと容易に変更することができる。
【００３６】
また、この発明の態様として、上記湯たんぽ収容部を、少なくとも第一湯たんぽ収容部と第二湯たんぽ収容部とで構成し、上記第一湯たんぽ収容部に、長さ方向における一方の側から突出した短尺状第一連結片と、長さ方向における他方の側から上記短尺状第一連結片よりも長い長さで突出した長尺状第一連結片とで構成した第一連結片を備え、上記第一連結片に有する第一接続体と、上記第二湯たんぽ収容部の側に有する第二接続体とで互いに分離可能に接続する接続手段を備え、上記間隔変更手段を、上記第一連結片と上記接続手段とで構成することができる。
【００３７】
短尺状第一連結片と第二連結片とを接続することにより、第一湯たんぽ収容部と第二湯たんぽ収容部との間隔を、例えば、腰部を温めるのに適した所定の短間隔へと容易に変更することができる。
【００３８】
これに対して長尺状第一連結片と第二連結片とを接続することにより、第一湯たんぽ収容部と第二湯たんぽ収容部との間隔を、例えば、左右両太腿部分の上に載せた状態で左右それぞれの太腿部分を温めるのに適した長間隔へと容易に変更することができる。
【００３９】
また、この発明の態様として、上記湯たんぽ収容部を、少なくとも第一湯たんぽ収容部と第二湯たんぽ収容部とで構成し、上記第一湯たんぽ収容部に、長さ方向における一方の側から突出した短尺状第一連結片と、長さ方向における他方の側から上記短尺状第一連結片よりも長い長さに突出した長尺状第一連結片とで構成した第一連結片を備え、上記第二湯たんぽ収容部に、長さ方向における一方の側から突出した短尺状第二連結片と、長さ方向における他方の側から上記短尺状第二連結片よりも長い長さに突出した長尺状第二連結片とで構成した第二連結片を備え、上記短尺状第一連結片、及び、長尺状第二連結片に有する第一接続体と、長尺状第一連結片、及び、短尺状第二連結片に有する第二接続体とで互いに分離可能に接続する接続手段を備え、上記間隔変更手段を、上記第一連結片、上記第二連結片、及び、上記接続手段とで構成することができる。
【００４０】
上記構成においても、短尺状第一連結片と短尺状第二連結片とを接続することにより、第一湯たんぽ収容部と第二湯たんぽ収容部との間隔を、例えば、腰部を温めるのに適した所定の短間隔へと容易に変更することができる。
【００４１】
これに対して長尺状第一連結片と長尺状第二連結片とを接続することにより、第一湯たんぽ収容部と第二湯たんぽ収容部との間隔を、例えば、左右両太腿部分の上に載せた状態で左右それぞれの太腿部分を温めるのに適した長間隔へと容易に変更することができる。
【００４２】
また、上述した接続手段は、例えば、スナップ、ボタン、ホック、バックル、面ファスナなど第一連結片と第二連結片とを接続可能な手段であれば、特に限定しないが、好ましくは、上記接続手段は、スライドファスナで構成するとよい。
【００４３】
上記接続手段を、第一ファスナテープと、該第一ファスナテープと係合可能な第二ファスナテープとを備えたスライドファスナで構成すれば、第一ファスナテープと第二ファスナテープとの係合により第一連結片と第二連結片とをしっかりと接続することができる。さらに、スライダをスライド操作するだけで第一連結片と第二連結片との接続、或いは、接続の解除をスムーズに行うことができる。
【発明の効果】
【００４４】
本発明によれば、様々な身体部位に適した形態で当接して加温することができるとともに、異なる身体部位へ当接させる場合にも、その身体部位に対応可能な形態へと容易に変更することのできる湯たんぽ取付具を提供することができる。
【発明を実施するための最良の形態】
【００４５】
この発明の一実施形態を以下図面と共に説明する。  
（第一実施形態）  
第一実施形態における湯たんぽ取付具１１について、図１、図２、及び、図３とともに説明する。  
なお、図１（ａ），（ｂ）は、それぞれ湯たんぽ取付具１１を表面側Ｘ、裏面側Ｙから視たときの外観図を示している。図２（ａ），（ｂ）は、それぞれ図１（ａ）のａ−ａ線断面図、ｂ−ｂ線断面図を模式的に示している。図３は、湯たんぽ取付具１１、及び、湯たんぽ１０の構成を説明する説明図であるとともに、湯たんぽ取付具１１に湯たんぽ１０を取り付ける様子を示す説明図である。
【００４６】
上記湯たんぽ取付具１１は、全体を柔軟な毛足の長い糸で覆われた平面視矩形をしたマット状に構成し、湯たんぽ１０を収容可能な袋状の湯たんぽ収容部１２を備えている。
【００４７】
上記湯たんぽ収容部１２は、湯たんぽ取付具１１の表面側Ｘに、表側第一湯たんぽ収容部１２ＸＡと表側第二湯たんぽ収容部１２ＸＢとの２つの表側湯たんぽ収容部１２Ｘを備えるとともに、湯たんぽ取付具１１の裏面側Ｙに、裏側第一湯たんぽ収容部１２ＹＡと裏側第二湯たんぽ収容部１２ＹＢと２つの裏側湯たんぽ収容部１２Ｙを備えている。
【００４８】
表側第一湯たんぽ収容部１２ＸＡと表側第二湯たんぽ収容部１２ＸＢとは、図１（ａ），図２（ａ）に示すように、例えば、２０ｍｍの所定の短間隔ＳＤを隔てて湯たんぽ取付具１１の表面側Ｘに配設されている。
【００４９】
一方、裏側第一湯たんぽ収容部１２ＹＡと裏側第二湯たんぽ収容部１２ＹＢとは、図１（ｂ）、図２に示すように、それぞれ上記短間隔ＳＤよりも長い、例えば、８０ｍｍ程度の長間隔ＬＤを隔てて湯たんぽ取付具１１の裏面側Ｙに配設されている。
【００５０】
なお、図１において左右方向、すなわち、湯たんぽ取付具１１の湯たんぽ収容部１２を配設した方向を配置方向Ｌに設定するとともに、図１において湯たんぽ取付具１１の奥行き方向をＷに設定するものとする。
【００５１】
また、湯たんぽ収容部１２は、図２（ｂ）、及び、図３に示すように、いずれも湯たんぽ取付具１１の奥行き方向Ｗの一方の端部付近に湯たんぽを出し入れ可能とする開口部Ａを備えている。
【００５２】
さらに、表側第一湯たんぽ収容部１２ＸＡと表側第二湯たんぽ収容部１２ＸＢ、及び、裏側第一湯たんぽ収容部１２ＹＡと裏側第二湯たんぽ収容部１２ＹＢは、それぞれ湯たんぽ取付具１１の配置方向Ｌの中間部分に対して左右対称となる部位に配設されている。
【００５３】
詳しくは、上記湯たんぽ取付具１１は、２枚の柔軟性布帛１３，１３を互いに対向させ、その外周縁部を縫着することにより一体に形成している。
【００５４】
上記柔軟性布帛１３は、織物からなる基布にパイル糸を植毛し、該パイル糸をカットした毛足の長い複数のカットパイルにより、図１（ａ）の一部拡大図に示すように、全体を毛布状に形成している。
【００５５】
さらに、２枚の柔軟性布帛１３，１３の間であって、上記湯たんぽ収容部１２に相当する部分には、２枚の耐熱性を備えた樹脂シート１４を具備し、該２枚の樹脂シート１４を互いに対向させるとともに、該樹脂シート１４の開口部Ａを除く外周部分を縫着して袋状に形成している。
【００５６】
上記湯たんぽ収容部１２の開口部Ａの縁部には、柔軟性布帛１３と同じ生地で形成したフラップ部１５を備え、該フラップ部１５により開口部Ａを開閉可能に構成している。  
なお、上記フラップ部１５、及び、樹脂シート１４は、柔軟性布帛１３に対して縫着により取り付けられている。
【００５７】
さらに、上記湯たんぽ収容部１２における上記フラップ部１５と柔軟性布帛１３との対向部分には、図２（ｂ）、図３に示すように、面ファスナ１６を備えている。
【００５８】
上記面ファスナ１６は、互いに係脱可能なループ状面ファスナ１６ａと鍵状面ファスナ１６ｂとの一対を備えて構成し、図２（ｂ）の一部拡大図に示すように、ループ状面ファスナ１６ａは、フラップ部１５側に縫着し、鍵状面ファスナ１６ｂは、柔軟性布帛１３側に縫着している。
【００５９】
また、湯たんぽ１０は、図３に示すように、いずれも幅方向の両側面を円弧状に形成した直方体形状に構成した同じ形態のものを２つ備え、最大容量が１リットルで構成している。  
詳しくは、湯たんぽ１０の一方の面には、該湯たんぽ１０の幅方向の外側から中央部へ進むに連れ緩やかに凹んだ凹面部１７を形成し、他方の面には、平滑状の平坦面部１８を形成している。
【００６０】
続いて、上述の構成で構成した湯たんぽ取付具１１の使用方法について説明する。
【００６１】
先ず、利用者Ｈは、図３に示すように、２つの湯たんぽ１０，１０のうち一方の湯たんぽ１０を表側第一湯たんぽ収容部１２ＸＡに収容するとともに、他方の湯たんぽ１０を上記表側第二湯たんぽ収容部１２ＸＢに収容する。
【００６２】
このとき、湯たんぽ１０は、凹面部１７、平坦面部１８のうちいずれの面側が湯たんぽ取付具１１に対して厚み方向外側へ向くように、表側湯たんぽ収容部１２Ｘに収容してもよいが、通常の使用方法としては、２つの湯たんぽ１０，１０のそれぞれが互いに表側湯たんぽ収容部１２Ｘに対して同一面側を向くように収容する。本実施例では、２つの湯たんぽ１０，１０の平坦面部１８が湯たんぽ取付具１１の厚み方向外側へ向くよう収容している。
【００６３】
そして、図４（ａ）に示すように、利用者Ｈは、椅子に着席した姿勢において湯たんぽ取付具１１を、腰部ＨＷと椅子の背凭れ部とで挟み込むことにより、この間に設置することができる。これにより、利用者Ｈは、椅子に着席したとき、湯たんぽ取付具１１を、腰部ＨＷに当てることができ、該湯たんぽ取付具１１によって腰部ＨＷを効果的に温めることができる。
【００６４】
なお、図４（ａ）は、湯たんぽ取付具１１により利用者Ｈの腰部ＨＷを温めている様子を示す作用説明図である。
【００６５】
詳しくは、湯たんぽ取付具１１は、表側第一湯たんぽ収容部１２ＸＡと表側第二湯たんぽ収容部１２ＸＢとを２０ｍｍ程度の所定の短間隔ＳＤを隔てて配設しているため、図４（ｂ）に示すように、湯たんぽ取付具１１の表面側Ｘを利用者Ｈの腰部ＨＷに当てると、表側第一湯たんぽ収容部１２ＸＡを利用者Ｈの腰部ＨＷにおける背骨部分に対して一方の側に当てるとともに、表側第二湯たんぽ収容部１２ＸＢを利用者Ｈの腰部ＨＷにおける背骨部分に対して他方の側に当てることができる。
【００６６】
すなわち、利用者Ｈが湯たんぽ取付具１１を腰部ＨＷに当てたとき、硬質な湯たんぽ１０が背骨部分に当たることがないため、利用者Ｈは、痛みを感じることがない。  
しかも、表側第一湯たんぽ収容部１２ＸＡと表側第二湯たんぽ収容部１２ＸＢとを、背骨部分を除く腰部ＨＷに適切な間隔を隔てて当てることができるため、湯たんぽ１０によって腰部分ＨＷを効果的に温めることができる。
【００６７】
なお、平坦面部１８の表面には、適宜、突起部、凹部、または、凹凸部を形成してもよい。係る構成を採る場合は、湯たんぽの平坦面部１８を腰部ＨＷに当たてたとき、これら突起部などにより腰部ＨＷを押圧することができるため、マッサージ効果も同時に得ることができる。  
ここで、図４（ｂ）は、湯たんぽ取付具１１が利用者Ｈの腰部ＨＷに当たる様子を一部断面により模式的に示した作用説明図である。
【００６８】
続いて、湯たんぽ取付具１１を用いて、利用者Ｈの腰部ＨＷ以外にも他の部位を温める他の実施例について図５を用いて説明する。  
なお、図５（ａ）は、湯たんぽ取付具１１により利用者Ｈの太腿部分ＨＴを温めている様子を示す作用説明図であり、図５（ｂ）は、湯たんぽ取付具１１が利用者Ｈの太腿部分ＨＴに当たる様子を一部断面により模式的に示した作用説明図である。
【００６９】
例えば、利用者Ｈの太腿部分ＨＴを温める場合において、利用者Ｈは、２つの湯たんぽ１０，１０のうち一方の湯たんぽ１０を裏側第一湯たんぽ収容部１２ＹＡに収容するとともに、他方の湯たんぽ１０を上記裏側第二湯たんぽ収容部１２ＹＢに収容する。このとき、２つの湯たんぽ１０，１０は、いずれも凹面部１７が湯たんぽ取付具１１に対して外側を向くよう裏側湯たんぽ収容部１２Ｙに収容している。
【００７０】
そして、利用者Ｈは、図５（ａ）に示すように、椅子に着席した姿勢において、湯たんぽ取付具１１を、椅子に着席した利用者Ｈの左右両側の太腿部分ＨＴに載置することにより、事務作業などを行いながら楽な姿勢で太腿部分ＨＴを効果的に暖めることができる。
【００７１】
ここで、湯たんぽ取付具１１は、裏側側第一湯たんぽ収容部１２ＹＡと裏側第二湯たんぽ収容部１２ＹＢとを８０ｍｍ程度の長間隔ＬＤを隔てて配設しているため、図５（ｂ）に示すように、利用者Ｈが椅子に着席した姿勢において、湯たんぽ取付具１１を太腿部分ＨＴに載置したとき、左右各側の太腿部分ＨＴの間隔と略一致する間隔とすることができる。
【００７２】
すなわち、裏側第一湯たんぽ収容部１２ＹＡを利用者Ｈの左右両側の太腿部分ＨＴの一方の側に当てるとともに、裏側第二湯たんぽ収容部１２ＹＢを利用者Ｈの左右両側の太腿部分ＨＴの他方の側に当てることができる。
【００７３】
しかもこのとき、湯たんぽ１０の凹面部１７が太腿部分ＨＴの上部に沿ってフィットするため、太腿部分ＨＴを効果的に温めることができるとともに、湯たんぽ取付具１１が太腿部分ＨＴに対して位置ズレしたりズレ落ちたりせずに安定した状態で太腿部分ＨＴを温めることができる。
【００７４】
その他にも、湯たんぽ１０を収容した湯たんぽ取付具１１を用いて利用者の様々な身体部位を温めることができる。例えば、図示しないが湯たんぽ取付具１１により利用者Ｈの、例えば、左右両腕の二の腕部分を効果的に温めることができる。
【００７５】
詳しくは、利用者Ｈは、太腿部分ＨＴを温めるのに用いた湯たんぽ取付具１１を、湯たんぽ１０を裏側湯たんぽ収容部１２Ｙに収容したまま、湯たんぽの凹面部１７が上方を向くようにしてテーブルの利用者Ｈの直ぐ前方部分に載置する（図示せず）。
【００７６】
ここで、裏側側第一湯たんぽ収容部１２ＹＡと裏側第二湯たんぽ収容部１２ＹＢとの間は、長間隔ＬＤのままであるが、該長間隔ＬＤは、左右肘間の間隔に略一致する間隔である。
【００７７】
このため、利用者Ｈは、両肘部分を突くような姿勢で二の腕部分を湯たんぽ取付具１１に載置すると、左右各二の腕部分を、裏側側第一湯たんぽ収容部１２ＹＡと裏側第二湯たんぽ収容部１２ＹＢとに楽な姿勢で載せることができる（図示せず）。
【００７８】
そして、このとき利用者Ｈは、二の腕部分を湯たんぽの凹面部１７にフィットした状態で効果的に温めることができる。
【００７９】
上述したように、湯たんぽ取付具１１は、湯たんぽ収容部１２を、温めようとする身体部位や用途に適した間隔に適宜、選択して変更することができるため、使い勝手がよく、効果的に所望の身体部位を温めることができる。
【００８０】
さらに、湯たんぽ取付具１１は、２つの湯たんぽ１０，１０を、表面側湯たんぽ収容部１２Ｘ、或いは、裏面側湯たんぽ収容部１２Ｙのいずれかの側に収容するだけで互いに所定間隔を隔てて取り付けることができる。このため、湯たんぽ取付具１１は、例えば、腰部ＨＷ、或いは、両太腿部分ＨＴに当てるのに適した間隔にいちいち調節する手間を要さずに、容易に間隔を選択して変更することができる。
【００８１】
以下では、他の実施形態における湯たんぽ取付具について説明する。  
但し、以下で説明する湯たんぽ取付具の構成のうち、上述した湯たんぽ取付具１１と同様の構成については、同一の符号を付して、その説明を省略する。
【００８２】
（第二実施形態）  
第二実施形態の湯たんぽ取付具２１は、図６に示すように、配置方向Ｌに所定間隔を隔てて配設した湯たんぽ収容部２２と、これら湯たんぽ収容部２２同士の上記所定間隔を異なる所定間隔に変更可能に、湯たんぽ収容部２２同士を連結する連結部材２３を備えている。  
なお、図６は、湯たんぽ取付具２１の外観図を示している。さらに、以下の説明においも、第一実施形態の湯たんぽ取付具１１と同様に、図６において左右方向、すなわち、湯たんぽ取付具２１の湯たんぽ収容部２２を配設した方向を配置方向Ｌに設定するとともに、図６において湯たんぽ取付具２１の奥行き方向をＷに設定するものとする。
【００８３】
詳しくは、湯たんぽ収容部２２は、第一湯たんぽ収容部２２Ａと第二湯たんぽ収容部２２Ｂとの２つを備え、それぞれ同一形態のものを左右対称に配設されている。
【００８４】
上記第一湯たんぽ収容部２２Ａを例にとり、湯たんぽ収容部２２の形態について説明する。  
上記第一湯たんぽ収容部２２Ａは、湯たんぽ１０を収容可能な中空状の箱型に構成している。  
なお、上記第一湯たんぽ収容部２２Ａを構成する各側面部分は、内部に板状のウレタン部材を備えて柔軟に構成している。さらに、第一湯たんぽ収容部２２Ａの表面全体は、毛足の短い複数のパイル糸により柔軟な肌触りで形成している。
【００８５】
上記第一湯たんぽ収容部２２Ａの奥行き方向Ｗの両側の側壁部分２９における一方の側の側壁部分２９ｃ（マチ部分）には、周方向に沿って湯たんぽ１０を出し入れ可能なスリット状の開口部２５を構成している。
【００８６】
側壁部分２９ｃの上記開口部２５の縁部には、該開口部２５を開閉するスライドファスナ２６を備えている。
【００８７】
詳しくは、上記スライドファスナ２６は、それぞれ務歯列が形成され、互いに係脱可能に構成した第一ファスナテープ２６ａと第二ファスナテープ２６ｂとを備えている。第一ファスナテープ２６ａは、開口部２５に対して一方の端部沿いに縫着するとともに、第二ファスナテープ２６ｂは、開口部２５に対して他方の端部沿いに縫着している。
【００８８】
さらに、上記スライドファスナ２６には、スライド操作により第一ファスナテープ２６ａと第二ファスナテープ２６ｂとを係脱自在とするスライダ２６ｃを備えている。
【００８９】
上記スライドファスナ２６は、スライダ２６ｃも含めて金属よりも熱伝導性が低い樹脂により形成している。
【００９０】
上記連結部材２３は、上記第一湯たんぽ収容部２２Ａの上記第二湯たんぽ収容部２２Ｂと対向する側壁部分２９ａから突出したシート状の第一連結片２３Ａ、上記第二湯たんぽ収容部２２Ｂの第一湯たんぽ収容部２２Ａと対向する側壁部分２９ａから突出したシート状の第二連結片２３Ｂ、及び、該第一連結片２３Ａと第二連結片２３Ｂとを互いに分離可能に接続するスライドファスナ２４とで構成している。
【００９１】
上記第一連結片２３Ａは、例えば、１０ｍｍ程度の長さで構成した短尺状第一連結片２３ＡＳと、７０ｍｍ程度の長さで構成した長尺状第一連結片２３ＡＬとを備えている。
【００９２】
これら短尺状第一連結片２３ＡＳと長尺状第一連結片２３ＡＬとは、いずれも長さ方向の一方の端部を、上記第一湯たんぽ収容部２２Ａにおける上記第二湯たんぽ収容部２２Ｂと対向する側壁部分２９ａの下端部側に縫着することにより、上記第一湯たんぽ収容部２２Ａから第二湯たんぽ収容部２２Ｂに向かって突出させて形成している。
【００９３】
一方、上記第二連結片２３Ｂは、その突出長さを、例えば、１０ｍｍ程度で構成した１枚のシート状部材により形成している。
【００９４】
上記第二連結片２３Ｂは、その長さ方向の一方の端部を、上記第二湯たんぽ収容部２２Ｂにおける上記第一湯たんぽ収容部２２Ａと対向する側壁部分２９ａの下端部側に縫着することにより、第二湯たんぽ収容部２２Ｂから第一湯たんぽ収容部２２Ａに向かって突出させて形成している。
【００９５】
スライドファスナ２４は、それぞれ務歯列が形成され、互いに係脱可能に構成した一対の第一ファスナテープ２４ａと第二ファスナテープ２４ｂとを備えている。さらに、図６中、仮想線で示したスライダ２４ｃを備えている。
【００９６】
第一ファスナテープ２４ａは、短尺状第一連結片２３ＡＳと長尺状第一連結片２３ＡＬとの各先端部分に縫着するとともに、第二ファスナテープ２４ｂは、第二連結片２３Ｂの先端部分に縫着している。
【００９７】
さらに、スライダ２４ｃは、第一ファスナテープ２４ａと第二ファスナテープ２４ｂとを係脱自在にスライドすることにより、第一連結片２３Ａと第二連結片２３Ｂとを互いに接続、分離可能に構成している。  
なお、スライドファスナ２４は、スライダ２４ｃも含めて上述したスライドファスナ２６と同様に、金属よりも熱伝導性が低い合成樹脂により形成している。
【００９８】
続いて、上述の構成で構成した湯たんぽ取付具２１を、腰部ＨＷに当てて加温する使用方法について図７（ａ）を用いて説明する。  
なお、図７（ａ）は、湯たんぽ取付具２１が利用者Ｈの腰部ＨＷに当たる様子を一部断面により模式的に示した作用説明図である。
【００９９】
先ず、利用者Ｈは、湯たんぽ取付具２１を短尺状第一連結片２３ＡＳに備えた第一ファスナテープ２４ａと第二連結片２３Ｂに備えた第二ファスナテープ２４ｂとを係合させる。これにより、短尺状第一連結片２３ＡＳと第二連結片２３Ｂとを一体に連結することができ、図６に示したように、第一湯たんぽ収容部２２Ａと第二湯たんぽ収容部２２Ｂとの間を、２０ｍｍ程度の短間隔ＳＤで構成することができる。
【０１００】
そして、２つの湯たんぽ１０，１０は、それぞれを第一湯たんぽ収容部２２Ａと第二湯たんぽ収容部２２Ｂとに収容する。このとき、２つの湯たんぽ１０，１０は、互いに平坦面部１８が湯たんぽ収容部２２に湯たんぽ取付具２１に対して外側を向くように収容している。  
なお、短間隔ＳＤは、第一実施形態の湯たんぽ取付具１１の表側第一湯たんぽ収容部１２ＸＡと表側第二湯たんぽ収容部１２ＸＢとの間隔と略同じ短間隔ＳＤに設定している。
【０１０１】
以上により、第一実施形態の湯たんぽ取付具１１と同様に図７（ａ）に示すように、湯たんぽ取付具２１を腰部ＨＷに当てたとき、湯たんぽ収容部２２を、腰部ＨＷの背骨部分に対して両側部分にぴたりとを当てることができるため、腰部ＨＷを効果的に温めることができる。
【０１０２】
さらに、他の実施例として、湯たんぽ取付具２１を、利用者Ｈの太腿部分ＨＴに載置して加温する一実施例について図７（ｂ）を用いて説明する。  
なお、図７（ｂ）は、湯たんぽ取付具２１が利用者Ｈの太腿部分ＨＴに当たる様子を一部断面により模式的に示した作用説明図である。
【０１０３】
この場合、利用者Ｈは、湯たんぽ取付具２１を長尺状第一連結片２３ＡＬに備えた第一ファスナテープ２４ａと第二連結片２３Ｂに備えた第二ファスナテープ２４ｂとを互いに係合させる。これにより、長尺状第一連結片２３ＡＬと第二連結片２３Ｂとを一体に連結することができ、第一湯たんぽ収容部２２Ａと第二湯たんぽ収容部２２Ｂとを、８０ｍｍ程度の長間隔ＬＤで構成することができる。
【０１０４】
なお、この長間隔ＬＤは、第一実施形態の湯たんぽ取付具１１の裏側第一湯たんぽ収容部１２ＹＡと裏側第二湯たんぽ収容部１２ＹＢとの間隔と略同じ長間隔ＬＤに設定することになる。
【０１０５】
このような形態とした湯たんぽ取付具２１を、身体部位に当てる面を図７（ａ）に示した向き、或いは、表裏逆にした向きで図７（ｂ）に示すように、椅子に着席した姿勢における利用者の左右両太腿部分ＨＴに載せる。そうすると、第一湯たんぽ収容部２２Ａと第二湯たんぽ収容部２２Ｂとの間隔を左右各側の太腿部分ＨＴの間隔と略一致する間隔とすることができる。
【０１０６】
さらに、湯たんぽ取付具２１を太腿部分ＨＴに載置したとき、左右両側に湯たんぽ１０の凹面部１７が太腿部分ＨＴの上部に沿ってフィットすることができるため、太腿部分ＨＴを効果的に温めることができる。
【０１０７】
よって、湯たんぽ取付具２１は、位置ズレしたりズレ落ちたりせずに安定した状態で太腿部分ＨＴに載置しておくことができる。
【０１０８】
さらに、湯たんぽ取付具２１は、第一湯たんぽ収容部２２Ａと第二湯たんぽ収容部２２Ｂとの間隔を変更する際には、基本的にスライドファスナ２４を互いに係脱するだけで行なうことができる。すなわち、いちいち湯たんぽ１０を湯たんぽ収容部２２から出し入れする手間を要さず、スムーズに間隔変更を行なうことができる。
【０１０９】
続いて、上述とは異なる実施形態における湯たんぽ取付具について説明するが、第二実施形態の湯たんぽ取付具２１と同様の作用効果については、その説明を省略する。
【０１１０】
（第三実施形態）  
第三実施形態の湯たんぽ取付具３１は、湯たんぽ取付具２１と同様に、図８（ａ），（ｂ）に示すように、湯たんぽ収容部２２（２２Ａ，２２Ｂ）と、該湯たんぽ収容部２２同士を連結する連結部材３３を備えている。  
なお、図８（ａ），（ｂ）は、いずれも湯たんぽ取付具３１を一部断面で模式的に示した構成説明図であり、図８（ａ）は、第一湯たんぽ収容部２２Ａと第二湯たんぽ収容部２２Ｂとの所定間隔を、短間隔ＳＤに設定したときの断面図を示し、図８（ｂ）は、第一湯たんぽ収容部２２Ａと第二湯たんぽ収容部２２Ｂとの所定間隔を、長間隔ＬＤに設定したときの断面図を示す。
【０１１１】
第三実施形態の連結部材３３は、第一湯たんぽ収容部２２Ａから突出した第一連結片３３Ａ、及び、第二湯たんぽ収容部２２Ｂから突出した第二連結片３３Ｂを備えている。さらに、連結部材３３には、第一連結片３３Ａと第二連結片３３Ｂとを互いに分離可能に接続する一対の第一ファスナテープ３４ａと第二ファスナテープ３４ｂとで構成されるスライドファスナ３４を備えている。
【０１１２】
上記第一連結片３３Ａは、例えば、１０ｍｍの長さの短尺状第一連結片３３ＡＳと、例えば、４０ｍｍの長さの長尺状第一連結片３３ＡＬとの２枚を備えて構成している。
【０１１３】
これに対して、上記第二連結片３３Ｂも、記第一連結片３３Ａと同様に、例えば、１０ｍｍの長さの短尺状第二連結片３３ＢＳと、４０ｍｍの長さの長尺状第二連結片３３ＢＬとの２枚を備えて構成している。
【０１１４】
さらにまた、第一連結片３３Ａと第二連結片３３Ｂとは、それぞれ第一湯たんぽ収容部２２Ａと第二湯たんぽ収容部２２Ｂとの間で互いに対向するよう突出している。
【０１１５】
上述した構成により、短尺状第一連結片３３ＡＳと短尺状第二連結片３３ＢＳ、或いは、長尺状第一連結片３３ＡＬと長尺状第二連結片３３ＢＬとが、いずれも互いに対向しているため、スライドファスナ３４に備えた一対の第一ファスナテープ３４ａと第二ファスナテープ３４ｂとを容易に係脱させてスムーズに間隔を変更することができる。
【０１１６】
詳しくは、互いに対向する短尺状第一連結片３３ＡＳと短尺状第二連結片３３ＢＳとを連結した場合、図８（ａ）に示すように、第一湯たんぽ収容部２２Ａと第二湯たんぽ収容部２２Ｂとは、２０ｍｍ程度の短間隔ＳＤで構成することができる。
【０１１７】
一方、互いに対向する長尺状第一連結片３３ＡＬと長尺状第二連結片３３ＢＬとを連結した場合、図８（ｂ）に示すように、第一湯たんぽ収容部２２Ａと第二湯たんぽ収容部２２Ｂとは、８０ｍｍ程度の長間隔ＬＤで構成することができる。
【０１１８】
また、上述した組み合わせ以外にも、図示しないが、短尺状第一連結片３３ＡＳと長尺状第二連結片３３ＢＬ、或いは、長尺状第一連結片３３ＡＬと短尺状第二連結片３３ＢＳを互いに連結すれば、第一湯たんぽ収容部２２Ａと第二湯たんぽ収容部２２Ｂとの間隔を５０ｍｍ程度の所定の中間隔とすることができる。
【０１１９】
よって、湯たんぽ取付具３１は、第一湯たんぽ収容部２２Ａと第二湯たんぽ収容部２２Ｂとの間隔を、３種類の所定間隔のうち所望の間隔に選択変更して用いることができる。
【０１２０】
なお、本発明の湯たんぽ取付具は、第三実施形態の湯たんぽ取付具３１に備えた第一連結片３３Ａ、第二連結片３３Ｂに限らず、短尺状第一連結片３３ＡＳと短尺状第二連結片３３ＢＳ、或いは、長尺状第一連結片３３ＡＬと長尺状第二連結片３３ＢＬをそれぞれ異なるながさで形成してもよく、さらには、これら連結片３３ＡＳ，３３ＢＳ，３３ＡＬ，３３ＢＬの全てを異なる長さで形成してもよい。
【０１２１】
（第四実施形態）  
第四実施形態の湯たんぽ取付具４１は、湯たんぽ取付具２１，３１と同様に、図９（ａ），（ｂ）に示すように、湯たんぽ収容部２２（２２Ａ，２２Ｂ）と、該湯たんぽ収容部２２同士を連結する連結部材４３を備えている。  
なお、図９（ａ），（ｂ）は、いずれも湯たんぽ取付具４１を一部断面で模式的に示した構成説明図であり、図９（ａ）は、第一湯たんぽ収容部２２Ａと第二湯たんぽ収容部２２Ｂとの所定間隔を、短間隔ＳＤに設定したときの断面図を示し、図９（ｂ）は、第一湯たんぽ収容部２２Ａと第二湯たんぽ収容部２２Ｂとの所定間隔を、長間隔ＬＤに設定したときの断面図を示す。
【０１２２】
第四実施形態の連結部材４３は、上述した湯たんぽ取付具２１の連結部材２３や、湯たんぽ取付具３１の連結部材３３と同様に、第一連結片４３Ａ、第二連結片４３Ｂ、及び、一対の第一ファスナテープ４４ａと第二ファスナテープ４４ｂとで構成されるスライドファスナ４４を備えているが、さらに、最長尺状連結部材４３Ｌも備えている。
【０１２３】
さらに、第一連結片４３Ａ、及び、第二連結片４３Ｂは、それぞれ１枚のシート状部材により構成している。  
上記第一連結片４３Ａは、その長さ方向の一端部分を、第一湯たんぽ収容部２２Ａの第二湯たんぽ収容部２２Ｂと対向する側の側壁部分２９ａから１０ｍｍ程度の突出長さで縫着している。第二連結片４３Ｂは、その長さ方向の一端部分を、第二湯たんぽ収容部２２Ｂの第一湯たんぽ収容部２２Ａと対向する側の側壁部分２９ａに１０ｍｍ程度の突出長さで縫着している。
【０１２４】
上記最長尺状連結部材４３Ｌは、上記第一湯たんぽ収容部２２Ａと上記第二湯たんぽ収容部２２Ｂとの間で分離不能な１枚もののシート状部材により形成するとともに、第一連結片４３Ａと第二連結片４３Ｂとの長さを合計した長さである２０ｍｍよりも長い８０ｍｍ程度の長さで形成している。
【０１２５】
上述の構成で構成した湯たんぽ取付具４１は、第一連結片４３Ａと第二連結片４３Ｂとの間隔を、長間隔ＬＤから短間隔ＳＤ、或いは、短間隔ＳＤから長間隔ＬＤへ変更する場合には、第一連結片４３Ａ側の第一ファスナテープ４４ａと第二連結片４３Ｂの第二ファスナテープ４４ｂとを互いに係脱するだけで容易に間隔の変更を行なうことができる。
【０１２６】
すなわち、第一連結片４３Ａと第二連結片４３Ｂとを互いに接続した場合、第一湯たんぽ収容部２２Ａと第二湯たんぽ収容部２２Ｂとは、図９（ａ）に示すように、２０ｍｍ程度の短間隔ＳＤで構成することができる。
【０１２７】
これに対して、短間隔ＳＤから長間隔ＬＤへの変更は、第一連結片４３Ａ側の第一ファスナテープ４４ａと第二連結片４３Ｂの第二ファスナテープ４４ｂとの係合を解除するだけでよい。これにより、上記第一湯たんぽ収容部２２Ａと上記第二湯たんぽ収容部２２Ｂとは、図９（ａ）に示した形態から図９（ｂ）に示すように、互いにこれらの間に有する上記最長尺状連結部材４３Ｌによって連結された形態となり、上記最長尺状連結部材４３Ｌの長さに対応する長間隔ＬＤで構成することができる。
【０１２８】
（第五実施形態）  
第五実施形態の湯たんぽ取付具５１は、湯たんぽ取付具２１，３１，４１と同様に、図１０（ａ），（ｂ）に示すように、湯たんぽ収容部２２（２２Ａ，２２Ｂ）と、該湯たんぽ収容部５２同士を連結する連結部材５３を備えている。  
なお、図１０（ａ）は、上記たんぽ取付具５１の平面図であり、図１０（ｂ）は、図１０（ａ）のａ−ａ線断面図である。
【０１２９】
上記連結部材５３は、上述した連結部材２３，３３，４３と同様に、第一連結片５３Ａ、第二連結片５３Ｂ、及び、一対の第一ファスナテープ５４ａと第二ファスナテープ５４ｂとで構成されるスライドファスナ５４を備えている。
【０１３０】
上記第一連結片５３Ａは、例えば、１０ｍｍの長さで構成した短尺状第一連結片５３ＡＳと、例えば、４０ｍｍの長さで構成した長尺状第一連結片５３ＡＬとの２枚を備えて構成している。
【０１３１】
詳しくは、短尺状第一連結片５３ＡＳは、その長さ方向の一方の端部を上記第一湯たんぽ収容部２２Ａの配置方向Ｌの一方の側の側壁部分２９ａに縫着することにより、第一湯たんぽ収容部２２Ａから突出させて形成している。
【０１３２】
長尺状第一連結片５３ＡＬは、その長さ方向の一方の端部を上記第一湯たんぽ収容部２２Ａの配置方向Ｌの他方の側の側壁部分２９ｂに縫着することにより、第一湯たんぽ収容部２２Ａから短尺状第一連結片５３ＡＳとは逆方向に突出させて形成している。
【０１３３】
上記第二連結片５３Ｂは、例えば、１０ｍｍの長さを備えた１本（枚）のシート状部材で構成し、その長さ方向の一方の端部を上記第二湯たんぽ収容部２２Ｂの配置方向Ｌの一方の側の側壁部分２９ａに縫着することにより、第二湯たんぽ収容部２２Ｂから突出させて形成している。
【０１３４】
さらに、スライドファスナ５４は、スライダ５４ｃ、及び、留め金具５４ｄ
を備えている。
【０１３５】
上記スライダ５４ｃは、第二ファスナテープ５４ｂにおいてその長さ方向へスライド自在に備えている。留め金具５４ｄは、第一ファスナテープ５４ａの長さ方向の一端側に備えている。さらに、留め金具５４ｄは、上記第一ファスナテープ５４ａと上記第二ファスナテープ５４ｂとの係合開始時にスライダ５４ｃと係合可能に構成している。
【０１３６】
上記第一ファスナテープ５４ａは、第一連結片５３Ａ（短尺状第一連結片５３ＡＳ、及び、長尺状第一連結片５３ＡＬ）の先端部分に沿って縫着している。
【０１３７】
但し、短尺状第一連結片５３ＡＳに備えた第一ファスナテープ５４ａと長尺状第一連結片５３ＡＬに備えた第一ファスナテープ５４ａとは、湯たんぽ取付具５１を平面視した状態において、形成方向が互いに逆方向になるよう形成している。
【０１３８】
詳しくは、図５（ａ）に示すとおり、第一ファスナテープ５４ａは、短尺状第一連結片５３ＡＳ、長尺状第一連結片５３ＡＬのいずれの側においても上下方向に形成している。さらに、図５（ａ）に示すとおり、短尺状第一連結片５３ＡＳ側の第一ファスナテープ５４ａは、その上端部に留め金具５４ｄを備えるとともに、長尺状第一連結片５３ＡＬ側の第一ファスナテープ５４ａは、その下端部に留め金具５４ｄを備えている。
【０１３９】
これに対して、上記第二ファスナテープ５４ｂは、上記第二連結片５３Ｂの先端部分に縫着している。さらに、第二ファスナテープ５４ｂに備えたスライダ５４ｃは、第一ファスナテープ５４ａと第二ファスナテープ５４ｂとの係合開始時に上記留め金具５４ｄと係合可能に構成している。
【０１４０】
上述の構成で構成した湯たんぽ取付具５１は、第一湯たんぽ収容部２２Ａと第二湯たんぽ収容部２２Ｂとの間隔を、長間隔ＬＤから短間隔ＳＤ、或いは、短間隔ＳＤから長間隔ＬＤへ容易に変更することができる。
【０１４１】
上記第一湯たんぽ収容部２２Ａと上記第二湯たんぽ収容部２２Ｂとの間隔が短間隔ＳＤになるよう構成する場合は、図１０（ａ），（ｂ）に示すように、短尺状第一連結片５３ＡＳと第二連結片５３Ｂとを互いに連結すればよい。
【０１４２】
さらに、上記第一湯たんぽ収容部２２Ａと上記第二湯たんぽ収容部２２Ｂとの間隔を上記短間隔ＳＤから長間隔ＬＤへ変更する際の手順は、以下のとおりである。
【０１４３】
上記第一湯たんぽ収容部２２Ａと上記第二湯たんぽ収容部２２Ｂとが互いに連結されている形態（図１０（ａ），（ｂ）参照）からスライドファスナ５４の係合を解除する（図示せず）。
【０１４４】
そして、図１１に示すように、上記第一湯たんぽ収容部２２Ａを上記第二湯たんぽ収容部２２Ｂに対して周方向へ１８０度回転させて、長尺状第一連結片５３ＡＬと第二連結片５３Ｂとが互いに対向した向きに配置することができる。これにより、長尺状第一連結片５３ＡＬの第一ファスナテープ５４ａの留め金具５４ｄと第二連結片５３Ｂの第二ファスナテープ５４ｂのスライダ５４ｃとを互いに係合可能な姿勢とすることができる。  
なお、図１１は、上記第一湯たんぽ収容部２２Ａと上記第二湯たんぽ収容部２２Ｂとの間隔を上記短間隔ＳＤから長間隔ＬＤへ変更する際の様子を示す説明図である。
【０１４５】
よって、長尺状第一連結片５３ＡＬの第一ファスナテープ５４ａと第二連結片５３Ｂの第二ファスナテープ５４ｂとを互いに係合することにより、湯たんぽ取付具５１は、図１２（ａ），（ｂ）に示すように、第一湯たんぽ収容部２２Ａと上記第二湯たんぽ収容部２２Ｂとを、その間が長間隔ＬＤの形態で一体に連結することができる。  
なお、図１２（ａ）は、上記湯たんぽ取付具５１の平面図であり、図１０（ｂ）は、図１２（ａ）のａ−ａ線断面図である。
【０１４６】
（第六実施形態）  
第六実施形態の湯たんぽ取付具６１は、湯たんぽ取付具２１，３１，４１，５１と同様に、図１３（ａ），（ｂ）に示すように、湯たんぽ収容部２２（２２Ａ，２２Ｂ）と、該湯たんぽ収容部２２同士を連結する連結部材６３を備えている。  
なお、図１３（ａ）は、上記たんぽ取付具６１の平面図であり、図１３（ｂ）は、図１３（ａ）のａ−ａ線断面図である。
【０１４７】
上記連結部材６３は、上述した連結部材２３，３３，４３，５３と同様に、第一連結片６３Ａ、第二連結片６３Ｂ、及び、一対の第一ファスナテープ６４ａと第二ファスナテープ６４ｂとで構成されるスライドファスナ６４を備えている。
【０１４８】
上記第一連結片６３Ａは、例えば、１０ｍｍ程度の長さで構成した短尺状第一連結片６３ＡＳと、例えば、４０ｍｍ程度の長さで構成した長尺状第一連結片６３ＡＬとの２枚を備えて構成している。
【０１４９】
詳しくは、短尺状第一連結片６３ＡＳは、その長さ方向の一方の端部を上記第一湯たんぽ収容部２２Ａの配置方向Ｌの一方の側の側壁部分２９ａに縫着することにより、第一湯たんぽ収容部２２Ａから突出させて形成している。
【０１５０】
長尺状第一連結片６３ＡＬは、その長さ方向の一方の端部を上記第一湯たんぽ収容部２２Ａの配置方向Ｌの他方の側の側壁部分２９ｂに縫着することにより、第一湯たんぽ収容部２２Ａから短尺状第一連結片６３ＡＳとは逆方向へ突出させて形成している。
【０１５１】
上記第二連結片６３Ｂは、例えば、１０ｍｍの長さで構成した短尺状第二連結片６３ＢＳと、例えば、４０ｍｍの長さで構成した長尺状第二連結片６３ＢＬとの２枚を備えて構成している。
【０１５２】
詳しくは、短尺状第二連結片６３ＢＳは、その長さ方向の一方の端部を上記第二湯たんぽ収容部２２Ｂの配置方向Ｌの一方の側の側壁部分２９ａに縫着することにより、第二湯たんぽ収容部２２Ｂから突出させて形成している。
【０１５３】
長尺状第二連結片６３ＢＬは、その長さ方向の一方の端部を上記第二湯たんぽ収容部２２Ｂの配置方向Ｌの他方の側の側壁部分２９ｂに縫着することにより、第二湯たんぽ収容部２２Ｂから短尺状第二連結片６３ＢＳとは逆方向へ突出させて形成している。
【０１５４】
さらに、スライドファスナ６４は、スライダ６４ｃ、及び、留め金具６４ｄも備えている。  
スライドファスナ６４の第一ファスナテープ６４ａは、短尺状第一連結片６３ＡＳ、及び、長尺状第一連結片６３ＡＬの各先端部分に縫着している。  
スライドファスナ６４の第二ファスナテープ６４ｂは、短尺状第二連結片６３ＢＳ、及び、長尺状第二連結片６３ＢＬの各先端部分に縫着している。
【０１５５】
さらに、スライダ６４ｃは、長尺状第一連結片６３ＡＬ側の第一ファスナテープ６４ａ、及び、短尺状第二連結片６３ＢＳ側の第二ファスナテープ６４ｂに備えている。  
なお、留め金具６４ｄは、短尺状第一連結片６３ＡＳ側の第一ファスナテープ６４ａ、及び、長短尺状第二連結片６３ＢＬ側の他方の第二ファスナテープ６４ｂに備えている。
【０１５６】
上述の構成で構成した湯たんぽ取付具６１は、第一湯たんぽ収容部２２Ａと第二湯たんぽ収容部２２Ｂとの間隔を、長間隔ＬＤから短間隔ＳＤ、或いは、短間隔ＳＤから長間隔ＬＤへ容易に変更することができる。
【０１５７】
上記第一湯たんぽ収容部２２Ａと上記第二湯たんぽ収容部２２Ｂとの間隔が短間隔ＳＤになるよう構成する場合は、短尺状第一連結片６３ＡＳと短尺第二連結片６３Ｂとを互いに連結することにより、図１３（ａ），（ｂ）に示すように構成している。
【０１５８】
さらに、上記第一湯たんぽ収容部２２Ａと上記第二湯たんぽ収容部２２Ｂとの間隔を上記短間隔ＳＤから長間隔ＬＤへ変更する手順は、以下のとおりである。
【０１５９】
まず、短尺状第一連結片６３ＡＳの第一ファスナテープ６４ａと、短尺第二連結片６３Ｂの他方の第二ファスナテープ６４ｂとの係合を解除する。
【０１６０】
そして、図１４（ａ）示すように、互いに分離された上記第一湯たんぽ収容部２２Ａと上記第二湯たんぽ収容部２２Ｂとを配置方向Ｌにおいて逆になるよう配置する。
【０１６１】
これにより、長尺状第一連結片６３ＡＬと長尺状第二連結片６３ＢＬとが互いに対向するため、長尺状第一連結片６３ＡＬの第一ファスナテープ６４ａと、長尺状第二連結片６３ＢＬの第二ファスナテープ６４ｂとを互いに係合することができる。
【０１６２】
よって、図１４（ｂ）示すように、上記第一湯たんぽ収容部２２Ａと上記第二湯たんぽ収容部２２Ｂとは、その間を長間隔ＬＤへと変更した状態で一体に連結することができる。
【０１６３】
なお、図１４（ａ）は、上記第一湯たんぽ収容部２２Ａと上記第二湯たんぽ収容部２２Ｂとの間隔を上記短間隔ＳＤから長間隔ＬＤへ変更する際の様子を示す説明図である。図１４（ｂ）は、上記第一湯たんぽ収容部２２Ａと上記第二湯たんぽ収容部２２Ｂとの間隔を長間隔ＬＤに変更したときの湯たんぽ取付具６１の構成説明図である。
【０１６４】
また、上述した実施形態と、この発明の構成との対応において、この実施形態の短間隔ＳＤ、又は、長間隔ＬＤは、この発明の所定間隔に対応するも、この発明は、上述の実施形態の構成のみに限定されるものではなく、多くの実施の形態を得ることができる。
【図面の簡単な説明】
【０１６５】
【図１】第一実施形態の湯たんぽ取付具の外観図。
【図２】第一実施形態の湯たんぽ取付具の構成説明図。
【図３】第一実施形態の湯たんぽ取付具の説明図。
【図４】第一実施形態の湯たんぽ取付具の作用説明図。
【図５】第一実施形態の湯たんぽ取付具の作用説明図。
【図６】第二実施形態の湯たんぽ取付具の外観図。
【図７】第二実施形態の湯たんぽ取付具の作用説明図。
【図８】第三実施形態の湯たんぽ取付具の構成説明図。
【図９】第四実施形態の湯たんぽ取付具の構成説明図。
【図１０】第五実施形態の湯たんぽ取付具の構成説明図。
【図１１】第五実施形態の湯たんぽ取付具を他の連結形態へ変更する説明図。
【図１２】第五実施形態の湯たんぽ取付具の他の連結形態を示す構成説明図。
【図１３】第六実施形態の湯たんぽ取付具の構成説明図。
【図１４】第六実施形態の湯たんぽ取付具の作用説明図、及び、構成説明図。
【符号の説明】
【０１６６】
１０…湯たんぽ
１１，２１，３１，４１，５１，６１…湯たんぽ取付具
１２，２２…湯たんぽ収容部
１２Ｘ…表側湯たんぽ収容部
１２Ｙ…裏側湯たんぽ収容部
２２Ａ…第一湯たんぽ収容部
２２Ｂ…第二湯たんぽ収容部
２３，３３，４３，５３，６３…連結部材
２３Ａ，３３Ａ，４３Ａ，５３Ａ，６３Ａ…第一連結片
２３Ｂ，３３Ｂ，４３Ｂ，５３Ｂ，６３Ｂ…第二連結片
２４，３４，４４，５４，６４…スライドファスナ
ＳＤ…短間隔
ＬＤ…長間隔
Ｘ…表面側
Ｙ…裏面側
【図１】
2009219568.tif 000003
【図２】
2009219568.tif 000004
【図３】
2009219568.tif 000005
【図４】
2009219568.tif 000006
【図５】
2009219568.tif 000007
【図６】
2009219568.tif 000008
【図７】
2009219568.tif 000009
【図８】
2009219568.tif 000010
【図９】
2009219568.tif 000011
【図１０】
2009219568.tif 000012
【図１１】
2009219568.tif 000013
【図１２】
2009219568.tif 000014
【図１３】
2009219568.tif 000015
【図１４】
2009219568.tif 000016